(57)【特許請求の範囲】
【請求項１】
ネットワーク（５００）におけるページングのオーバーヘッドを低減するための方法であって、前記方法は、
ユーザ機器（ＵＥ）（４５１）が実質的に静止しているかどうかを判定すること、を含み、前記ＵＥ（４５１）はネットワークに関連付けられた第１のネットワークセル（４１０）に位置し、さらに前記方法は、
前記ＵＥ（４５１）が実質的に静止していることを判定することに応答して、前記ＵＥ（４５１）から前記ネットワーク（５００）へ、前記ＵＥ（４５１）が実質的に静止していることを示す指示を送信すること、を含み、
前記ネットワークは、前記第１のネットワークセルと同じ地理的トラッキングエリアの一部である１以上の他のネットワークセルにページング信号を送信せずに、前記ページング信号を前記第１のネットワークセルに送信することによって、前記指示に応答し、さらに前記方法は、
前記ＵＥ（４５１）が前記第１のネットワークセル（４１０）から第２のネットワークセル（４２０、４３０）に移動するかどうかを判定することと、を含み、
前記ＵＥ（４５１）が前記第１のネットワークセル（４１０）から前記第２のネットワークセル（４２０、４３０）に移動するという判定に応じて、前記第１のネットワークセル（４１０）が前記第２のネットワークセル（４２０、４３０）と異なる地理的トラッキングエリアに位置する場合にのみ、前記ＵＥ（４５１）から前記ネットワーク（５００）へ、前記ＵＥ（４５１）に関連する更新された位置情報を送信し、
前記ネットワークは、前記第２のネットワークセル（４２０、４３０）の第２の地理的トラッキングエリアの一部であるネットワークセルにページング信号を送信することにより、前記更新された位置情報に応答する、方法。
【請求項２】
ＵＥ（４５１）が移動していない、または限定された動きを有する場合、前記ＵＥ（４５１）は実質的に静止している、請求項１に記載された方法。
【請求項３】
前記ＵＥ（４５１）が前記ＵＥはある期間静止したままであろうと判定する場合、前記ＵＥ（４５１）は実質的に静止している、請求項１に記載された方法。
【請求項４】
前記更新された位置情報の受信に応じて、前記ネットワーク（５００）はページング信号（４２０）を前記第１のネットワークセル（４１０）と前記第２のネットワークセルに送信する、請求項１から３のいずれか１項に記載された方法。
【請求項５】
前記第２のネットワークセル（４２０）が、前記第１のネットワークセル（４１０）と比較したとき、同じまたは異なる地理的トラッキングエリアに関連付けられる、請求項１から４のいずれか１項に記載された方法。
【請求項６】
前記ＵＥ（４５１）が前記第１のネットワークセル（４１０）から前記第２のネットワークセル（４２０）に移動するかどうかを判定することは、前記ＵＥ（４５１）が前記第１のネットワークセル（４１０）から前記第２のネットワークセル（４２０）に移動するかどうかを周期的に判定することを含む、請求項１から５のいずれか１項に記載された方法。
【請求項７】
前記ＵＥ（４５１）が前記第１のネットワークセル（４１０）から前記第２のネットワークセル（４２０）に移動するかどうかを判定することは、前記ＵＥ（４５１）によって、前記ＵＥ（４５１）が前記第１のネットワークセル（４１０）から前記第２のネットワークセル（４２０）に移動するかどうかを判定することを含む、請求項６に記載された方法。
【請求項８】
前記ＵＥ（４５１）が前記第１のネットワークセル（４１０）から前記第２のネットワークセル（４２０）に移動するかどうかを判定することは、前記ネットワーク（５００）によって、前記ＵＥ（４５１）が前記第１のネットワークセル（４１０）から前記第２のネットワークセル（４２０）に移動するかどうかを判定することを含む、請求項６に記載された方法。
【請求項９】
さらに前記方法は、
前記ＵＥ（４５１）が前記第１のネットワークセル（４１０）から第３のネットワークセル（４３０）に移動するかどうかを判定すること、を含み、前記第３のネットワークセル（４３０）は前記第１のネットワークセル（４１０）とは異なる地理的領域に関連付けられておらず、
前記ＵＥ（４５１）が前記第１のネットワークセル（４１０）から前記第３のネットワークセル（４３０）に移動することを判定することに応答して、前記ＵＥ（４５１）に関連付けられる更新された位置情報を前記ネットワーク（５００）に送信しない、請求項１から８のいずれか１項に記載された方法。
【請求項１０】
前記ネットワーク（５００）は第３世代パートナーシッププロジェクト（３ＧＰＰ）に関連する、請求項１から９のいずれか１項に記載された方法。
【請求項１１】
前記ＵＥ（４５１）はモバイルデバイスを含む、請求項１から１０のいずれか１項に記載された方法。
【請求項１２】
ネットワーク（５００）におけるページングのオーバーヘッドを低減するための方法であって、前記方法は、
ネットワーク（５００）によって、ユーザ機器（ＵＥ）（４５１）から指示を受信すること、を含み、前記指示は前記ＵＥ（４５１）が実質的に静止していることを示し、前記方法は、
前記指示を受信すること応答して、第１のネットワークセル（４１０）と同じ地理的トラッキングエリアの一部である１以上の他のネットワークセルにページング信号を送信せずに、前記第１のネットワークセル（４１０）に前記ページング信号を送信することと、
前記ＵＥ（４５１）から更新された位置情報を受信することと、ここで、前記更新された位置情報は前記ＵＥ（４５１）が前記第１のネットワークセル（４１０）から第２のネットワークセル（４３０）に移動することを示し、前記更新された位置情報の受信は前記第２のネットワークセル（４３０）が前記第１のネットワークセル（４１０）と異なる地理的トラッキングエリアに位置することを示し、
前記更新された位置情報の前記ＵＥ（４５１）からの受信に応じて、前記第２のネットワークセル（４３０）の第２の地理的トラッキングエリアの一部であるネットワークセルにページング信号を送信することと、
を含む、方法。
【発明の詳細な説明】
【背景技術】
【０００１】
ネットワークの効率を向上させるために、ネットワークにおけるページングオーバーヘッドの量を低減する必要がある。
【発明の概要】
【０００２】
本発明の実施形態は、ネットワークにおけるページングのオーバーヘッドの低減のためのシステム、方法およびコンピュータプログラムプロダクトに関する。方法の例は、ユーザ機器（ＵＥ）が実質的に静止しているかどうかを判定すること、を含み、ＵＥはネットワークに関連付けられた第１のネットワークセルに位置し、さらに方法は、ＵＥが実質的に静止していることを判定することに応答して、ネットワークに指示を送信することと、ＵＥが第１のネットワークセルから第２のネットワークセルに移動するかどうかを判定することと、ＵＥが第１のネットワークセルから第２のネットワークセルに移動することを判定することに応答して、ＵＥに関連付けられた更新された位置情報をネットワークに送信することと、を含む。
【０００３】
いくつかの実施形態において、ネットワークはネットワークバックボーンを含む。
【０００４】
いくつかの実施形態において、ＵＥが移動していない、または限定された動きを有する場合、ＵＥは実質的に静止している。
【０００５】
いくつかの実施形態において、ＵＥがＵＥはある期間静止したままであろうと判定する場合、ＵＥは実質的に静止している
【０００６】
いくつかの実施形態において、ＵＥが実質的に静止している場合、ネットワークはページング信号を第１のネットワークセルに送信するが、第２のネットワークセルに送信しない。
【０００７】
いくつかの実施形態において、ＵＥが第１のネットワークセルから第２のネットワークセルに移動する場合、ネットワークはページング信号を第１のネットワークセルと第２のネットワークセルに送信する。
【０００８】
いくつかの実施形態において、第２のネットワークセルが第１のネットワークセルと同等であるとみなされる場合、第２のネットワークセルは同じまたは異なる地理的領域に関連付けられる。
【０００９】
いくつかの実施形態において、ＵＥが第１のネットワークセルから第２のネットワークセルに移動するかどうかを判定することは、ＵＥが第１のネットワークセルから第２のネットワークセルに移動するかどうかを定期的に判定することを含む。
【００１０】
いくつかの実施形態において、ＵＥが第１のネットワークセルから第２のネットワークセルに移動するかどうかを判定することは、ＵＥによって、ＵＥが第１のネットワークセルから第２のネットワークセルに移動するかどうかを判定することを含む。
【００１１】
いくつかの実施形態において、ＵＥが第１のネットワークセルから第２のネットワークセルに移動するかどうかを判定することは、ネットワークによって、ＵＥが第１のネットワークセルから第２のネットワークセルに移動するかどうかを判定することを含む。
【００１２】
いくつかの実施形態において、さらに方法は、ＵＥが第１のネットワークセルから第３のネットワークセル（４３０）に移動するかどうかを判定すること、を含み、第３のネットワークセル（４３０）は第１のネットワークセルとは異なる地理的領域に関連付けられておらず、ＵＥが第１のネットワークセルから第３のネットワークセル（４３０）に移動することを判定することに応答して、ＵＥに関連付けられる更新された位置情報をネットワークに送信しない。
【００１３】
いくつかの実施形態において、ネットワークは第３世代パートナーシッププロジェクト（３ＧＰＰ）に関連する。
【００１４】
いくつかの実施形態において、ＵＥはモバイルデバイスを含む。
【００１５】
いくつかの実施形態において、ネットワークにおけるページングのオーバーヘッドを低減するためにシステムが提供される。システムは、メモリ、プロセッサ、メモリに格納され、プロセッサによって実行され、ユーザ機器（ＵＥ）が実質的に静止しているかどうかを判定することを実行するように構成されるモジュールとを含み、ＵＥはネットワークに関連付けられる第１のネットワークセルに位置し、モジュールは、ＵＥが実質的に静止しているかどうかを判定することに応答して、指示をネットワークに送信し、ＵＥが第１のネットワークセルから第２のネットワークセルに移動するかどうかを判定し、ＵＥが第１のネットワークセルから第２のネットワークセルに移動することを判定することに応答して、ＵＥと関連付けられた更新された位置情報をネットワークに送信することを実行するように構成される。
【００１６】
いくつかの実施形態において、ネットワークにおけるページングのオーバーヘッドを低減するためにコンピュータプログラムプロダクトが提供される。コンピュータプログラムプロダクトは、ユーザ機器（ＵＥ）が実質的に静止しているかどうかを判定することを実行するように構成されるコードを含む非一時的なコンピュータ可読媒体を含み、ＵＥはネットワークに関連付けられる第１のネットワークセルに位置し、コードは、ＵＥが実質的に静止しているかどうかを判定することに応答して、指示をネットワークに送信し、ＵＥが第１のネットワークセルから第２のネットワークセルに移動するかどうかを判定し、ＵＥが第１のネットワークセルから第２のネットワークセルに移動することを判定することに応答して、ＵＥと関連付けられた更新された位置情報をネットワークに送信することを実行するように構成される。
【００１７】
いくつかの実施形態において、ネットワークにおけるページングのオーバーヘッドを低減するために方法が提供される。方法は、ネットワークによって、ユーザ機器（ＵＥ）から指示を受信すること、を含み、指示はＵＥが実質的に静止していることを示し、方法は、指示を受信すること応答して、第１のネットワークセルにページング信号を送信することと、ＵＥから更新された位置情報を受信することと、を含み、更新された位置情報は、ＵＥが第１のネットワークセルから第２のネットワークセルに移動したこと（例えば、第２のネットワークセルは、第１のネットワークセルとは異なる地理的領域に関連付けられる）を示し、方法は、ＵＥが第１のネットワークセルから第２のネットワークセルに移動したことを判定することに応答して、第１のネットワークセルと第２のネットワークセルにページング信号を送信することと、を含む。
【００１８】
いくつかの実施形態において、方法はさらに、更新された位置情報をＵＥから受信すること、を含み、更新された位置情報は、ＵＥが第１のネットワークセルから第３のネットワークセルに移動したことを示し、第３のネットワークセルは第１のネットワークセルと同じ地理的領域に関連付けられ、方法は、ＵＥが第１のネットワークセルから第３のネットワークセルに移動したことを判定することに応答して、第１のネットワークセルと第３のネットワークセルとを含む地理的領域にページング信号を送信することを含む。
【００１９】
いくつかの実施形態において、ネットワークにおけるページングのオーバーヘッドを低減するためにシステムが提供される。システムは、メモリ、プロセッサ、メモリに格納され、プロセッサによって実行され、ネットワークによって、ユーザ機器（ＵＥ）からの指示を受信することを実行するように構成されるモジュールとを含み、指示は、ＵＥが実質的に静止していることを示し、モジュールは、指示を受信することに応答して、ページング信号を第１のネットワークセルに送信し、更新された位置情報をＵＥから受信し、更新された位置情報はＵＥが第１のネットワークセルから第２のネットワークセルに移動したことを示し、ＵＥが第１のネットワークセルから第２のネットワークセルに移動したことを判定することに応答して、ページング信号を第１のネットワークセルと第２のネットワークセルに送信することを実行するように構成される。
【００２０】
いくつかの実施形態において、ネットワークにおけるページングのオーバーヘッドを低減するためにコンピュータプログラムプロダクトが提供される。コンピュータプログラムプロダクトは、ネットワークによって、ユーザ機器（ＵＥ）からの指示を受信することを実行するように構成されるコードを含む非一時的なコンピュータ可読媒体を含み、指示はＵＥが実質的に静止していることを示し、コードは、指示を受信することに応答して、ページング信号を第１のネットワークセルに送信し、更新された位置情報をＵＥから受信し、更新された位置情報はＵＥが第１のネットワークセルから第２のネットワークセルに移動したことを示し、ＵＥが第１のネットワークセルから第２のネットワークセルに移動したことを判定することに応答して、ページング信号を第１のネットワークセルと第２のネットワークセルに送信することを実行するように構成される。
【図面の簡単な説明】
【００２１】
発明の実施形態は一般用語で記述され、参照は添付する図面に対して行われる。
【図１】図１は、本発明の実施形態による、ネットワークにおけるページングのオーバーヘッドを低減するための例示的な処理フローを示す。
【図２】図２は、本発明の実施形態による、ネットワークにおけるページングのオーバーヘッドを低減するための別の例示的な処理フローを示す。
【図３】図３は、本発明の実施形態による、ネットワークにおけるページングのオーバーヘッドを低減するための別の例示的な処理フローを示す。
【図４】図４は、本発明の実施形態による、ネットワークにおけるページングのオーバーヘッドを低減するための別のブロック図を示す。
【図５】図５は、本発明の実施形態による、ネットワークにおけるページングのオーバーヘッドを低減する例示的なネットワーク環境を示す。
【発明を実施するための形態】
【００２２】
本発明の実施形態が、全てではないがいくつかの本発明の実施形態が示される添付の図面を参照してより完全に以下で記載される。実際、本発明は、多くの異なる形態で具体化されてもよく、本明細書に記載された実施形態に限定されると解釈されるべきではなく、むしろ本開示が適用可能な法的要件を満たすことができるようにこれらの実施形態が提供される。番号は全体を通して同じ要素を示す。
【００２３】
ネットワーク環境において、端末またはユーザ機器（ＵＥ）は、ページングルーチンを実行する。ページングルーチンは、ＵＥに対する着信の接続を確立することを試みるネットワーク（例えば、ネットワークバックボーン）からブロードキャストされる信号（例えば、ページングコール）をＵＥが定期的にリッスンするルーチンである。このページングルーチンは、ＵＥが実質的に静止モードである間に実行されてもよい。本明細書で使用されるように、実質的な静止モードはＵＥがゼロまたは最小限の移動性または動きを有する場合（例えば、閾値未満の移動性または動き）のモードである。ＵＥとネットワークとの間の接続は、ＵＥがデータを送信および／またはネットワークから受信してもよいことを意味する。本明細書に記載されるように、ネットワークによって実行される任意の処理または機能は、ネットワークバックボーンによって実行されてもよい。本明細書で参照されるネットワーク環境は、第３世代パートナーシッププロジェクト（３ＧＰＰ）のネットワーク環境であってもよい。
【００２４】
本発明は、ネットワークがページング信号を静止ＵＥに関連する特定のセルに送信できるように、静止ＵＥからネットワークに対する指示信号の送信を実施することに関する。ＵＥに関連するシグナリングの量を低減するために、ネットワークセルのセットがトラッキングエリア内で共にグループ化される。本明細書で使用されるように、ネットワークセルは少なくとも２つのＵＥを含む。いくつかの実施形態においてセル内の少なくとも１つのＵＥは、ＡＰとして動作するＵＥを介してセル内の他のＵＥをネットワークに接続できるようにするアクセスポイント（ＡＰ）として動作する。ネットワークセルの各セットは、ＵＥの異なる組み合わせを含む。いくつかのＵＥは、１以上のネットワークセルの一部であってもよい。ＵＥがネットワークセルの一部である場合、これは、その特定のネットワークセルにおけるＵＥのキャンプと呼ばれる。ページングルーチンの間ＵＥは、ネットワークセルのセット内の各ネットワークセルに関連する信号強度をモニタする。
【００２５】
ＵＥは、第１のネットワークセルの一部であってもよく、第２のネットワークセルの一部でなくてもよい。ＵＥが、第２のネットワークセルにおけるシグナリングの量に関連する信号強度が、第１のネットワークセルにおけるシグナリングの量に関連する信号強度よりも低いことを判定する場合、ＵＥは、ＵＥが第１のネットワークセルではなく、第２のネットワークセルにキャンプインできるようにＵＥの位置を変更する。ＵＥがその位置を変更する場合、ＵＥは、通常、変更された位置を含むネットワーク（例えば、ネットワークバックボーン）を更新する。しかし、第２のネットワークセルが第１のネットワークセルと同一の物理的または地理的なトラッキングエリアの一部である場合、ＵＥは、変更された位置を含むネットワークを更新しない。これは、ＵＥとネットワークとの間の制御シグナリングの量を減少させる。物理的なトラッキングエリアは、単一の点からの半径のように定義されてもよく、または（例えば、全地球測位システム（ＧＰＳ）座標、またはインターネットプロトコル（ＩＰ）アドレス情報または既知の基地局からの距離のような他の位置判定情報に基づく）ＵＥと関連付けられる地理的な座標によって定義されてもよい。
【００２６】
ネットワークは、特定のＵＥ（例えば、第１のＵＥ）にページング信号を送信することを望んでもよい。一般的に、ネットワークはどのセルにＵＥが位置しているのかを知らないので、トラッキングエリア内に位置するすべてのセルは、ネットワークからページング信号を受信する。しかし、第１のＵＥの位置が知られており、第１のＵＥがある期間静止している（例えば、第１のＵＥが全く移動しない、または第１のＵＥの動きがある動きの閾値量以下である）状況では、トラッキングエリア内のすべてのセルに対してページング信号を送信する手順は不要である。したがって、（複数のネットワークセルを含む）ネットワークシステムにおけるページングオーバーヘッドの合計量を低減するために、本発明は、特定のネットワークセル内に位置する、または特定のネットワークセルに関連付けられる静止ＵＥをページングすることに関する。
【００２７】
図１を参照すると、図１は、ページングオーバーヘッドの低減が実施されるＵＥのための処理プロセスフローを示す。ＵＥは、ネットワークによって追跡される地理的なトラッキングエリアに関連付けられたネットワークセルの一部である。ブロック１１０では、ＵＥは、ＵＥが現在静止しているかどうか、および／またはＵＥが今後ある時間静止したままかどうかを判定する。ブロック１２０では、ＵＥが、ＵＥは現在静止している、および／またはＵＥが今後ある時間静止したままであると判定する場合、ＵＥはセルページング指示（または「非移動性（ｎｏ  ｍｏｂｉｌｉｔｙ）」指示）をネットワークに送信する。ブロック１３０では、ネットワークは、ＵＥからのセルページング指示を受信する。ＵＥから指示を受信すると、またはネットワークがページング信号を送信することを望む将来におけるある時間に、ネットワークは、送信した指示がネットワークによって受信された少なくとも１つのＵＥまたはＵＥが位置するネットワークセルにページング信号を送信する。したがって、ネットワークは他のネットワークセルにページング信号を送信せず、それによって複数のネットワークセルを備えるネットワークシステム全体に関連するページングオーバーヘッドを低減する。ブロック１４０では、ＵＥおよび／またはネットワークは、ＵＥがセル内に留まっているどうかを判定する。これは、トラッキングエリア更新（すなわち、更新されたＵＥの位置情報）がＵＥからネットワークに送信され、ブロック１５０に示されるようにネットワークによって受信されるまで定期的に判定される。ＵＥがもはや静止していない（例えばＵＥが、トラッキングエリア外に移動した、現在トラッキングエリア外に移動している、または近い将来にトラッキングエリア外に移動する）ことを示すトラッキングエリア更新がＵＥから受信される場合、ネットワークは、ネットワークがトラッキングエリア内に位置するすべてのネットワークセルに対してページング信号を送信する構成に戻る。
【００２８】
ＵＥの移動度はＵＥによってモニタされてもよく、ＵＥがネットワークセル外に移動する場合、ＵＥは、ＵＥの位置に関連する更新された情報をネットワークに送信する。ＵＥがネットワークセル内に留まる場合、ＵＥはＵＥの位置に関連する情報をネットワークに送信しない。いくつかの実施形態において、ＵＥがそのネットワークセルから第２のネットワークセルに移動するが、そのネットワークセルは第２のネットワークセルと同じ地理的領域に位置する場合、ＵＥは、ＵＥの位置に関連する更新された情報をネットワークに送信しない。他の実施形態では、ＵＥがそのネットワークセルから第２のネットワークセルに移動し、そのネットワークセルは第２のネットワークセルと同じ地理的領域に位置する場合、ＵＥは、依然としてＵＥの位置に関連する更新された情報をネットワークに送信する。いくつかの実施形態では、ＵＥがそのネットワークセルの外を第２のネットワークセルに向かって移動し、そのネットワークセルは第２のネットワークセルとは異なる地理的領域に位置する場合、ＵＥは、ＵＥの位置に関連する更新された情報をネットワークに送信する。他の実施形態では、ネットワークは、ＵＥからＵＥの位置に関連する情報を受信することなしに、ＵＥの位置（ＵＥが位置するセル、およびＵＥおよび／またはＵＥが位置するセルに関連する地理的領域または場所を含む）をモニタする。
【００２９】
図２を参照すると、図２は、ＵＥの観点からページングの低減を実施するＵＥのための処理フローを示す。ブロック２１０において処理フローは、ユーザ機器（ＵＥ）が実質的に静止しているかどうかを判定することを含み、ＵＥはネットワークに関連付けられる第１のネットワークセルに位置する。本明細書で使用されるように、ＵＥが移動していない、ＵＥがある移動閾値以下の限定された動きを有する、および／または今後ある期間、実質的に静止したままであるなどの場合、ＵＥは実質的に静止している。ブロック２２０において処理フローは、ＵＥが実質的に静止していることを判定することに応答して、ネットワークに指示を送信することを含む。ブロック２３０において処理フローは、ＵＥが第１のネットワークセルから第２のネットワークセルに移動するかどうかを判定する（例えば、定期的に判定する）ことを含み、第２のネットワークセルは、第１のネットワークセルとは異なる地理的領域に関連付けられ、または他の実施形態では、第１のネットワークセルと同じ地理的領域に関連付けられる。ブロック２４０において処理フローは、ＵＥが第１のネットワークセルから第２のネットワークセルに移動することを判定することに応答して、ＵＥに関連する更新された位置情報をネットワークに送信することを含む。
【００３０】
いくつかの実施形態において、ＵＥが第１のネットワークセルから第２のネットワークセルに移動するかどうかを判定することは、ＵＥによって行われ、判定に関連する情報は、ＵＥからネットワークに送信される。他の実施形態において、ネットワークは、位置座標（例えば、ＧＰＳ座標、ネットワーク座標（例えば、インターネットプロトコル（ＩＰ）座標、ネットワークの基地局の座標（すなわち、ＵＥからの基地局の距離））に基づいて、ＵＥの位置を追跡する。そのような実施形態において、ＵＥは、ＵＥの位置に関連する情報をネットワークに送信しなくてもよい。
【００３１】
いくつかの実施形態において処理フローは、ＵＥが第１のネットワークセルから第３のネットワークセルに移動するかどうかを判定することをさらに含み、第３のネットワークセルは第１のネットワークセルとは異なる地理的領域に関連付けられておらず、ＵＥが第１のネットワークセルから第３のネットワークセルに移動することを判定することに応答して、ＵＥに関連する更新された位置情報をネットワークに送信しないことをさらに含む。他の実施形態において、ＵＥが第１のネットワークセルから第３のネットワークセルに移動する場合、ＵＥは、更新された位置情報をネットワークに送信する。
【００３２】
図３を参照すると、図３は、ネットワークの観点からページングの低減を実施するＵＥのための処理フローを示す。ブロック３１０では、処理フローは、ネットワークによって、ユーザ機器（ＵＥ）からの指示を受信すること、を含み、指示はＵＥが実質的に静止していることを示す。ブロック３２０では、処理フローは、指示を受信することに応答して、ページング信号を第１のネットワークセルに送信することを含む。したがって、ＵＥが実質的に静止している場合、ページング信号は、ネットワークから第１のネットワークセル（および第１のネットワークセルに位置するＵＥ）に送信される。そのような実施形態において、ページング信号は、第１のネットワークセルとは異なる地理的領域に位置する、または第１のネットワークセルと同じ地理的領域に位置する第２のネットワークセルに送信されない。
【００３３】
ブロック３３０では、処理フローは、更新された位置情報をＵＥから受信することを含み、更新された位置情報は、ＵＥが第１のネットワークセルから第２のネットワークセル（例えば、第２のネットワークセルは、第１のネットワークセルとは異なる地理的領域に関連する、または第１のネットワークセルと同じ地理的領域に関連する）に移動したことを示す。ブロック３４０では、処理フローは、ＵＥが第１のネットワークセルから第２のネットワークセルに移動したことを判定することに応答して、ページング信号を第１のネットワークセルおよび第２のネットワークセルに送信することを含む。
【００３４】
いくつかの実施形態では、さらに処理フローは、ＵＥからの更新された位置情報を受信することを含み、更新された位置情報は、ＵＥが第１のネットワークセルから第３のネットワークセルに移動したことを示し、第３のネットワークセルは第１のネットワークセルと同じ地理的領域に関連付けられ、そしてＵＥが第１のネットワークセルから第３のネットワークセルに移動したことを判定することに応答して、ＵＥがページング信号をネットワークから受信できるように、ページング信号を第１のネットワークセルおよび第３のネットワークセルに関連付けられた地理的領域に送信する。
【００３５】
図４を参照すると、図４は、本発明の実施形態に従う、ネットワークにおけるページングのオーバーヘッドを低減するための例示的なブロック図を提供する。図４は、３つのネットワークセル４１０、４２０および４３０を示す。第１のネットワークセルは３つのＵＥ４５１、４５２および４５３を含む。ＵＥ４５１は、指示をネットワーク（図示しない）に送信する実質的に静止ＵＥであってもよく、指示の送信に応答して、ネットワークはページング信号をネットワークセル４１０に送信するが、ネットワークセル４１０と同じ地域に位置するネットワークセル４２０およびネットワークセル４１０と異なる地理的領域に位置するネットワークセル４３０には送信しない。
【００３６】
ネットワークがＵＥ４５１から指示を受信すると、ネットワークは、ＵＥがＵＥのセルを変更したことを示す更新された情報をＵＥ４５１がネットワークに送信するまでＵＥ４５１はネットワークセル４１０に留まると推定する。ある期間後、ＵＥ４５１は、ネットワークセル４１０からネットワークセル４２０またはネットワークセル４３０に移動してもよい。いくつかの実施形態において、他のネットワークセルへのＵＥ４５１の移動は、ＵＥ４５１の物理的な移動によってトリガされるが、他の実施形態において、他のネットワークセルへのＵＥ４５１の移動は、他の理由（例えば、ネットワークセル４２０または４３０に関連する信号強度が、ネットワークセル４１０に関連する信号強度と異なる）に基づいてトリガされる。移動は、ＵＥ４５１に関連する更新された位置情報をネットワークに送信することをＵＥ４５１にトリガするまたは促す。更新された位置情報をＵＥ４５１から受信すると、ネットワークはもはやＵＥ４５１に関連するネットワークセルにページング信号を送信せず、代わりに、ＵＥ４５１が位置する地理的領域に関連付けられているすべてのネットワークセルにページング信号を送信する。
【００３７】
図５を参照すると、図５は、本発明の実施形態に従う、ネットワークにおけるページングのオーバーヘッドを低減するためのネットワーク環境の例示的なブロック図を示す。示されるようにネットワーク環境は、ネットワーク５１０とＵＥ４５１とを含む。ネットワーク５１０は、ネットワークバックボーンを含む。ＵＥ４５１は、ネットワークセルの一部であってもよい。図５に示されるように、ＵＥ４５１は、動作可能なように、および選択的に１以上の別個のネットワークを含んでもよいネットワーク５１０に接続される（例えば、１以上の有線または無線メカニズムを介して）。
【００３８】
ＵＥ４５１は、通信インタフェース、プロセッサ、メモリ、およびメモリに格納され、プロセッサによって実行可能な、本明細書に記載の種々の処理を実行するように構成されるモジュールを備えるコンピューティングデバイスである。いくつかの実施形態において、ネットワークは、通信インタフェース、プロセッサ、メモリ、およびメモリに格納され、プロセッサによって実行可能な、本明細書に記載の種々の処理を実行するように構成されるモジュールを備えるネットワークバックボーンを含む。本明細書に記載された各通信インタフェースは、ネットワーク５１０を介してネットワーク５１０および他のシステムと通信を可能にする。
【００３９】
本明細書で一般的に記載される各プロセッサは、オーディオ、ビジュアルおよび／または論理機能を実現するための回路を含む。例えばプロセッサは、デジタル信号プロセッサデバイス、マイクロプロセッサデバイス、種々のアナログ−デジタル変換器、デジタル−アナログ変換器、および他のサポート回路を含んでもよい。プロセッサが存在するシステムの制御および信号処理機能は、それぞれの機能に応じて、これらのデバイス間に配分されてもよい。プロセッサはまた、例えば、メモリに格納されてもよい、それらのコンピュータ実行可能プログラムコード部分に少なくとも部分的に基づいて、１以上のソフトウェアプログラムを動作する機能を含んでいてもよい。
【００４０】
各メモリは、任意のコンピュータ可読媒体を含んでもよい。例えばメモリは、情報を一時的に記憶するためのキャッシュ領域を有する揮発性のランダムアクセスメモリ（ＲＡＭ）のような揮発性メモリを含んでもよい。メモリは、組み込まれてもよく、および／または取り外し可能であってもよい不揮発性メモリを含んでもよい。不揮発性メモリは、追加的または代替的に、ＥＥＰＲＯＭ、フラッシュメモリおよび／または同様のものを含んでもよい。メモリは、そのシステムの機能を実現するために存在する、システムによって使用される任意の１つ以上の情報およびデータの一部を格納してもよい。
【００４１】
本発明は、ＵＥの形態をとることができるシステムまたはデバイスの任意の特定のタイプに限定されるものではない。本明細書で使用されるように、デバイスまたはＵＥは、システムまたは装置と呼ばれてもよい。ＵＥの例は、携帯電話または他のモバイルコンピューティングデバイス、モバイルテレビ、ラップトップコンピュータ、スマートスクリーン、タブレットコンピュータまたはタブレット、ポータブルデスクトップコンピュータ、電子書籍リーダー、スキャナ、ポータブルメディアデバイス、ゲーム機、カメラまたは他の撮像装置、ヘッドギア、眼鏡、時計、バンド（例えば、リストバンド）、または他のウェアラブルデバイス、または他のポータブルまたはサーバまたはルータのような非ポータブルコンピューティングまたは非コンピューティングデバイスを含む。いくつかの実施形態において、ＵＥは、非移動性または非ポータブルデバイス（例えば、水道メーターのリーダー、スマートグリッドデバイスなど）である。
【００４２】
本発明の実施形態によれば、システム（またはデバイス）に関する用語「モジュール」は、システムのハードウェア構成要素、システムのソフトウェア構成要素、またはハードウェアおよびソフトウェアの両方を含むシステムの構成要素を意味してもよい。本明細書で使用されるように、モジュールは、１または複数のモジュールを含んでもよく、各モジュールは、ハードウェアまたはソフトウェアの別々の部分に存在してもよい。
【００４３】
本発明の多くの実施例は上述されたが、本発明は多くの異なる形態で具体化されてもよく、本明細書に記載された実施形態に限定されると解釈されるべきではなく、むしろ、この開示が適用可能な法的要件を満たすように、これらの実施形態が提供される。また、可能であれば、本明細書で記載および／または意図される本発明の実施形態のいずれかの利点、特徴、機能、デバイス、および／または動作の態様のいずれかが、本明細書中で記載および／または意図される本発明の他の実施形態のいずれかに含まれていてもよい、および／またはその逆であってもよいことが理解されるであろう。また、可能な場合であれば、本明細書において単数形で表現される任意の用語はまた、特に明示しない限り、複数形を含むことを意味し、および／またはその逆を含むことを意味する。本明細書で使用される場合、「少なくとも１つ」は、「１つ以上」を意味し、これらの語句は交換可能であることが意図される。従って、用語「ａ」および／または「ａｎ」は、語句「１または複数」または「少なくとも１つ」がまた、本明細書で使用される場合であっても、「少なくとも１つ」または「１または複数」を意味する。番号は全体を通して同じ要素を示す。
【００４４】
本開示に鑑みて当業者によって理解されるように、本発明は、（例えば、システム、マシーン、デバイス、コンピュータプログラムプロダクト、および／または同様のもの含む）装置を含んでもよく、および／または装置として具体化されてもよく、（例えば、ビジネス方法、コンピュータ実装プロセス、および／または同様のものを含む）方法を含んでもよく、および/または方法として具体化されてもよく、またはこれらの任意の組合せを含んでもよく、および／または方法として具体化されてもよい。従って、本発明の実施形態は、全体としてビジネス方法の実施形態、完全なソフトウェアの実施形態（ファームウェア、常駐ソフトウェア、マイクロコード、データベース内に格納されるプロシージャなどを含む）、完全なハードウェアの実施形態、またはビジネス方法、ソフトウェア、および本明細書で一般的に「システム」と言及されるハードウェアの態様を組み合わせた実施形態の形態をとってもよい。また、本発明の実施形態は、コンピュータ可読記憶媒体に格納された１つまたは複数のコンピュータ実行可能なプログラムコードの部分を有するコンピュータ可読記憶媒体を含む、コンピュータプログラムプロダクトの形態をとってもよい。本明細書で使用されるように、１または複数のプロセッサを含んでもよいプロセッサは、例えば、機能を実行する１つまたは複数の汎用回路を有することによって、コンピュータ可読媒体において具現化される１つまたは複数のコンピュータ実行可能なプログラムコード部分を実行することによって、および／または機能を実行する１つまたは複数のアプリケーション固有の回路を有することによって、などの様々な方法で特定の機能を実行するように「構成」されてもよい。
【００４５】
任意の適切なコンピュータ可読媒体が利用されてもよいことが理解されるであろう。コンピュータ可読媒体は、例えば、これに限られないが、有体の、電子的、磁気的、光学的、電磁気的、赤外線または半導体システム、デバイス、および／または他の装置のような、非一時的なコンピュータ可読媒体を含んでもよい。例えば、いくつかの実施形態において、非一時的なコンピュータ可読媒体は、ポータブルコンピュータディスケット、ハードディスク、ランダムアクセスメモリ（ＲＡＭ）、読み出し専用メモリ（ＲＯＭ）、消去可能なプログラマブル読み出し専用メモリ（ＥＰＲＯＭまたはフラッシュメモリ）、コンパクトディスク読み出し専用メモリ（ＣＤ−ＲＯＭ）、および／またはいくつかの他の有形の光学および／または磁気記憶デバイスのような、有形の媒体を含む。しかし、本発明の他の実施形態において、コンピュータ可読媒体は、例えば、信号の中に具現化されたコンピュータ実行可能なプログラムコード部分を含む伝播信号のような一時的なものであってもよい。
【００４６】
本発明の動作を実行するための１つまたは複数のコンピュータ実行可能なプログラムコード部分は、例えば、Ｊａｖａ、Ｐｅｒｌ、Ｓｍａｌｌｔａｌｋ、Ｃ＋＋、ＳＡＳ、ＳＱＬ、Ｐｙｔｈｏｎ、Ｏｂｊｅｃｔｉｖｅ  Ｃ、ＪａｖａＳｃｒｉｐｔ、および／または同様のもののような、オブジェクト指向、スクリプト、および／または非スクリプトのプログラミング言語を含んでもよい。いくつかの実施形態において、本発明の実施形態の動作を実行するための１つまたは複数のコンピュータ実行可能なプログラムコード部分は、「Ｃ」プログラミング言語および／または類似のプログラミング言語のような、従来の手続き型のプログラミング言語で記述されてもよい。コンピュータプログラムコードは、代替的または追加的に、例えばＦ＃のような、１つ以上のマルチパラダイムプログラミング言語で書かれてもよい。
【００４７】
本発明のいくつかの実施形態は、本明細書中でフローチャート図および／または装置および／または方法のブロック図を参照して記載された。フローチャート図に含まれる各ブロックおよび／またはブロック図および／またはフローチャート図に含まれるブロックの組み合わせおよび/またはブロック図は、１つまたは複数のコンピュータ実行可能なプログラムコード部分によって実現されてもよいことが理解されるであろう。これらの１つまたは複数のコンピュータ実行可能なプログラムコード部分は、コンピュータおよび／または他のプログラム可能なデータ処理装置のプロセッサを介して実行される、１つまたは複数のコンピュータ実行可能なプログラムコード部分が、フローチャートおよび／またはブロック図のブロックによって表されるステップおよび／または機能を実現するためのメカニズムを生成できるように、特定のマシーンを製造するために、汎用コンピュータ、専用コンピュータ、および/またはいくつかの他のプログラム可能なデータ処理装置のプロセッサに提供されてもよい。
【００４８】
指示、命令、および／またはコンピュータまたは他のプログラム可能なデータ処理装置を特定の方法で機能させるようにすることができる、１つまたは複数のコンピュータ実行可能なプログラムコード部分は、コンピュータ可読媒体に格納されたコンピュータ実行可能なプログラムコード部分が、フローチャートおよび／またはブロック図のブロックで特定されたステップおよび／または機能を実現する指示メカニズムを含む製品を生み出せるように、一時的および／または非一時的なコンピュータ可読媒体（例えば、メモリ等）に格納されてもよい。
【００４９】
１つまたは複数のコンピュータ実行可能なプログラムコード部分は、一連の動作ステップをコンピュータおよび／または他のプログラム可能な装置上で実行させるために、コンピュータおよび／または他のプログラム可能なデータ処理装置上にロードされてもよい。いくつかの実施形態において、これは、コンピュータおよび／または他のプログラム可能な装置上で実行される１つまたは複数のコンピュータ実行可能なプログラムコード部分が、フローチャートで特定されたステップおよび／またはブロック図のブロックで特定された機能を実装するための動作ステップを提供するように、コンピュータ実装プロセスを生成する。代替的にコンピュータ実行ステップは、本発明の実施形態を実施するために、オペレータおよび／または人の実行ステップと組み合わされてもよく、および／または置き換えられてもよい。
【００５０】
特定の例示的な実施形態は、添付の図面に記載され、示されるが、そのような実施形態は単に、広範な発明の例示であり、制限されず、上記の段落に記載されたものに加えて、他の様々な変更、組み合わせ、省略、修正および置換が可能であるため、本発明は図示および説明された特定の構成および配置に限定されないことが理解されるべきである。当業者は、説明された実施形態の様々な適応、変更、および組合せが、本発明の範囲および精神から逸脱することなく構成されることを理解するであろう。したがって、添付の特許請求の範囲内で、本発明は本明細書で具体的に記載されたようなもの以外で実施されてもよいことが理解されるべきである。
【図１】
0006281644.tif 000002
【図２】
0006281644.tif 000003
【図３】
0006281644.tif 000004
【図４】
0006281644.tif 000005
【図５】
0006281644.tif 000006